(57)【要約】【課題】複数の記録装置に記録した同一の番組コンテンツの消去作業を簡易に行えるようにする。【解決手段】デジタルテレビ１から記録装置３、４に対して同一の番組コンテンツの録画予約を行う際に、録画予約により録画された番組コンテンツの消去方法を示す消去モードを設定する。デジタルテレビ１は、例えば録画予約により録画された番組コンテンツの再生終了後に、記録装置３、４のうち消去モードに応じて選択された記録装置に対し、録画予約により録画された番組コンテンツを消去させるように制御する。録画予約により録画された番組コンテンツの消去作業が簡易であると共に、バックアップを自動的に取ることができる。【選択図】図１
2009239354.tif 000002
【特許請求の範囲】
【請求項１】
複数の記録装置を接続する複数の接続手段と、
前記複数の接続手段に接続された前記複数の記録装置のそれぞれに対し、同一の番組を並行して記録させるように制御する記録制御手段と、
前記記録制御手段の制御により前記複数の記録装置に記録された前記番組の消去規則を指定する消去モードをユーザ操作に応じて設定する消去モード設定手段と、
前記消去モード設定手段により設定された前記消去モードに応じて、前記番組を消去すべき記録装置を前記複数の記録装置から選択する選択手段と、
記録された前記番組の再生が前記複数の記録装置のうち何れかで終了されたら、前記選択手段により選択された前記記録装置に前記番組を消去させるように制御する消去制御手段と
を有する
ことを特徴とする記録制御装置。
【請求項２】
前記消去モードは、
前記選択手段が、前記複数の記録装置のうち前記番組の再生を終了した記録装置以外の記録装置を全て選択するモードを含む
ことを特徴とする請求項１に記載の記録制御装置。
【請求項３】
前記消去モードは、
前記選択手段が、前記複数の記録装置のうちユーザが指定した記録装置以外の記録装置を全て選択するモードを含む
ことを特徴とする請求項１または請求項２に記載の記録制御装置。
【請求項４】
前記消去モードは、
前記選択手段が、前記複数の記録装置のうち着脱可能な記録媒体に前記番組を記録する前記記録装置以外の記録装置を選択するモードを含む
ことを特徴とする請求項１乃至請求項３の何れか１項に記載の記録制御装置。
【請求項５】
前記消去モードは、
前記選択手段が、前記複数の記録装置のうち最も高い画像解像度で前記番組を記録すると判断される記録装置以外の記録装置を全て選択するモードを含む
ことを特徴とする請求項１乃至請求項４の何れか１項に記載の記録制御装置。
【請求項６】
前記選択手段は、前記複数の記録装置のそれぞれが対応する記録媒体の種類と、前記複数の記録装置のそれぞれが接続される前記接続手段の種類とに基づき、前記複数の記録装置のそれぞれが前記番組を記録する前記画像解像度を判断する
ことを特徴とする請求項５に記載の記録制御装置。
【請求項７】
前記消去モードは、
前記選択手段が前記複数の記録装置を全て選択するモードを含む
ことを特徴とする請求項１乃至請求項６の何れか１項に記載の記録制御装置。
【請求項８】
前記消去モードは、
前記選択手段が、前記複数の記録装置のうち前記番組の再生を終了した記録装置を選択するモードを含む
ことを特徴とする請求項１乃至請求項７の何れか１項に記載の記録制御装置。
【請求項９】
記録装置を接続する複数の接続手段に接続された前記複数の記録装置のそれぞれに対し、同一の番組を並行して記録させるように制御する記録制御ステップと、
前記記録制御ステップの制御により前記複数の記録装置に記録された前記番組の消去規則を指定する消去モードをユーザ操作に応じて設定する消去モード設定ステップと、
前記消去モード設定ステップにより設定された前記消去モードに応じて、前記番組を消去すべき記録装置を前記複数の記録装置から選択する選択ステップと、
記録された前記番組の再生が前記複数の記録装置のうち何れかで終了されたら、前記選択ステップにより選択された前記記録装置に前記番組を消去させるように制御する消去制御ステップと
を有する
ことを特徴とする記録制御方法。
【請求項１０】
記録装置を接続する複数の接続手段に接続された前記複数の記録装置のそれぞれに対し、同一の番組を並行して記録させるように制御する記録制御ステップと、
前記記録制御ステップの制御により前記複数の記録装置に記録された前記番組の消去規則を指定する消去モードをユーザ操作に応じて設定する消去モード設定ステップと、
前記消去モード設定ステップにより設定された前記消去モードに応じて、前記番組を消去すべき記録装置を前記複数の記録装置から選択する選択ステップと、
記録された前記番組の再生が前記複数の記録装置のうち何れかで終了されたら、前記選択ステップにより選択された前記記録装置に前記番組を消去させるように制御する消去制御ステップと
を有する記録制御方法の各ステップをコンピュータに実行させるためのプログラム。
【発明の詳細な説明】
【技術分野】
【０００１】
本発明は、記録装置および方法に関し、特には、複数の記録装置を制御可能な記録制御装置および方法に関する。
【背景技術】
【０００２】
近年、番組コンテンツをデジタルデータ化して放送するデジタルテレビジョン放送（以下、デジタルＴＶ放送）が実施されている。デジタルデータ化したデジタルコンテンツは、そのままでは、情報を劣化させること無しに複製が可能である。そのため、著作権保護の観点から、デジタルＴＶ放送により放送される番組コンテンツに対してコピー制限をかけることが一般的に行われている。このようなコピー制限の方法の一つとして、デジタルコンテンツに対して一度だけ複製（録画）を許可する方式であるコピーワンスがある。
【０００３】
なお、以下では、特に記載のない限り、番組コンテンツは、デジタルデータ化されたデジタル番組コンテンツであるものとする。
【０００４】
コピーワンスによれば、受信されたデジタルＴＶ放送の番組コンテンツは、レコーダなどに一度記録してしまうと、他の記録媒体に対する複製が禁止される。そのため、レコーダに記録された番組コンテンツのバックアップを取ることが困難となる。そこで、特許文献１に記載されるように、同一の番組コンテンツを複数のレコーダにそれぞれ記録することができるシステムが提案されている。
【特許文献１】特開２００５−３１１７９３号公報
【発明の開示】
【発明が解決しようとする課題】
【０００５】
しかしながら、複数のレコーダに対して同一の番組コンテンツを記録すると、それぞれのレコーダにおいて同一の番組コンテンツのために記録容量が消費されることになり、レコーダの空き容量が直ぐに足りなくなってしまうおそれがある。そのため、複数のレコーダに記録された同一コンテンツのうち不要なものを消去する作業を行うことになる。このとき、記録コンテンツをバックアップとして残すか否かを同一の番組コンテンツを記録した複数のレコーダ毎に判断して消去作業を行うことになり、消去作業が煩雑になってしまうという問題点があった。
【０００６】
したがって、本発明の目的は、複数の記録装置に記録した同一の番組コンテンツの消去作業を簡易に行える記録制御装置および方法を提供することにある。
【課題を解決するための手段】
【０００７】
本発明は、上述した課題を解決するために、複数の記録装置を接続する複数の接続手段と、複数の接続手段に接続された複数の記録装置のそれぞれに対し、同一の番組を並行して記録させるように制御する記録制御手段と、記録制御手段の制御により複数の記録装置に記録された番組の消去規則を指定する消去モードをユーザ操作に応じて設定する消去モード設定手段と、消去モード設定手段により設定された消去モードに応じて、番組を消去すべき記録装置を複数の記録装置から選択する選択手段と、記録された番組の再生が複数の記録装置のうち何れかで終了されたら、選択手段により選択された記録装置に番組を消去させるように制御する消去制御手段とを有することを特徴とする記録制御装置である。
【０００８】
また、本発明は、記録装置を接続する複数の接続手段に接続された複数の記録装置のそれぞれに対し、同一の番組を並行して記録させるように制御する記録制御ステップと、記録制御ステップの制御により複数の記録装置に記録された番組の消去規則を指定する消去モードをユーザ操作に応じて設定する消去モード設定ステップと、消去モード設定ステップにより設定された消去モードに応じて、番組を消去すべき記録装置を複数の記録装置から選択する選択ステップと、記録された番組の再生が複数の記録装置のうち何れかで終了されたら、選択ステップにより選択された記録装置に番組を消去させるように制御する消去制御ステップとを有することを特徴とする記録制御方法である。
【０００９】
また、本発明は、記録装置を接続する複数の接続手段に接続された複数の記録装置のそれぞれに対し、同一の番組を並行して記録させるように制御する記録制御ステップと、記録制御ステップの制御により複数の記録装置に記録された番組の消去規則を指定する消去モードをユーザ操作に応じて設定する消去モード設定ステップと、消去モード設定ステップにより設定された消去モードに応じて、番組を消去すべき記録装置を複数の記録装置から選択する選択ステップと、記録された番組の再生が複数の記録装置のうち何れかで終了されたら、選択ステップにより選択された記録装置に番組を消去させるように制御する消去制御ステップとを有する記録制御方法の各ステップをコンピュータに実行させるためのプログラムである。
【発明の効果】
【００１０】
このような構成により、本発明によれば、複数の記録装置に記録した同一の番組コンテンツの消去作業を簡易に行うことができる。
【発明を実施するための最良の形態】
【００１１】
以下、本発明の実施形態を、図面を参照しながら説明する。図１は、本発明を適用可能な一例のシステム構成を示す。デジタルテレビ１は、地上デジタル放送などのデジタルテレビ放送を受信可能とされたテレビジョン受像機である。デジタルテレビ１に対して、所定の通信インターフェイスを介して複数の記録装置３、４が接続される。
【００１２】
図１の例では、記録装置３は、デジタルテレビ１に対してＬＡＮケーブル５により接続され、ＬＡＮケーブル５を介してデータの送受信が可能とされる。このような記録装置３の例として、例えばハードディスクを内蔵し、所定のプロトコルを用いて外部からハードディスクに対するデータの読み書きを行うことができるようにした、ストレージ装置がある。
【００１３】
また、図１の例では、記録装置４は、デジタルテレビ放送を受信可能とされ、受信されたデジタルテレビ放送による番組コンテンツを記録媒体に記録可能とされると共に、デジタルテレビ１とＨＤＭＩケーブル６を介して接続可能なレコーダである。このようなレコーダにおいて用いられる記録媒体としては、ＤＶＤなどの光ディスクや、ハードディスクなどがある。
【００１４】
記録装置４は、ＨＤＭＩケーブル６を介し、デジタルテレビ１との間でＣＥＣコマンドの送受信が可能である。外部の機器からＨＤＭＩケーブル６を介してＣＥＣコマンドを送信することで、記録装置４における記録動作など各種の動作を制御することができる。また、記録装置４において記録媒体から再生された映像データや音声データは、ＨＤＭＩケーブル６を介してデジタルテレビ１に送信される。
【００１５】
なお、ＨＤＭＩは、High-Definition Multimedia Interfaceの略称であり、ＣＥＣは、Consumer Electronics Controlの略称である。また、ＤＶＤは、Digital Versatile Discの略称である。
【００１６】
アンテナ７は、デジタルテレビ放送による電波を受信し、電気信号に変換して出力する。分配器８は、アンテナ７から出力された信号を複数系統（図１の例では２系統）に分配して出力する。分配器８で分配された信号は、デジタルテレビ１および記録装置４にそれぞれ供給される。
【００１７】
デジタルテレビ１は、リモートコントロールコマンダ２（以下、リモコン２と略称する）を用いて、赤外線信号や電波によって遠隔操作が可能とされている。ここでは、リモコン２は、操作部に対する操作に応じた制御信号を赤外線信号に変調して送信するものとする。
【００１８】
図２は、本発明を適用可能なデジタルテレビ１の一例の構成を示す。バス１０に対してＣＰＵ１１、ＲＯＭ１２、ＲＡＭ１３およびリモコンＩ／Ｆ２３が接続される。ＣＰＵ１１は、ＲＯＭ１２に予め記憶されるプログラムに従い、ＲＡＭ１３をワークメモリとして用いてこのデジタルテレビ１の全体の動作を制御する。ＲＡＭ１３は、ＣＰＵ１１のワークメモリとして用いられると共に、各種データのバッファとしても用いられる。
【００１９】
リモコンＩ／Ｆ２３は、リモコン２から送信された赤外線信号を受信して復調し、復調された制御信号に応じたコマンドを出力する。このコマンドは、ＣＰＵ１１に供給される。ＣＰＵ１１は、供給されたこのコマンドに応じて、このデジタルテレビ１における各種動作を制御する。
【００２０】
デコーダ１６、画像処理部１８、音声処理部２１および時計部２２が、バス１０にさらに接続される。
【００２１】
デコーダ１６は、デマルチプレクサ１５から出力された圧縮映像データおよび圧縮音声データのデコードを行う。すなわち、アンテナ７から出力され分配器８を介してデジタルテレビ１に供給された信号が、チューナ１４に供給される。チューナ１４は、供給された信号を復調してデジタルデータとする。デジタルテレビ放送が地上デジタル放送であれば、復調されたデータは、ＭＰＥＧ２システムズによるトランスポートストリームである。
【００２２】
チューナ１４から出力されたトランスポートストリームは、デマルチプレクサ１５に供給される。デマルチプレクサ１５は、供給されたトランスポートストリームを構成するトランスポート（ＴＳ）パケットに基づき、圧縮符号化された映像データや音声データからなるエレメンタリストリームを構築すると共に、ＰＳＩ／ＳＩ信号を抽出する。なお、ＰＳＩは、Program Specific Informationの略称であり、ＳＩは、Service Informationの略称である。
【００２３】
ＰＳＩは、チャンネル情報やストリームの構成を示す情報など、選局やデコードに必要な情報が記述される。ＳＩは、番組配列情報であって、番組やサービスの情報が記述される。ＥＰＧ(Electronic Program Guide)など番組の情報を表示する場合にも、ＳＩの情報が用いられる。ＰＳＩ／ＳＩ信号は、ＣＰＵ１１にも供給される。
【００２４】
デマルチプレクサ１５は、ＰＳＩに基づき、指定されたチャネルのＴＳパケットを抽出し、圧縮映像データや圧縮音声データによるエレメンタリストリームを構築する。デジタルテレビ放送による番組コンテンツは、１または複数のエレメンタリストリームを含む。エレメンタリストリームは、デコーダ１６に供給される。デコーダ１６は、デマルチプレクサ１５から供給されたエレメンタリストリームをデコードし、ベースバンドの映像データや音声データを出力する。デコードされた映像データは、画像処理部１８に供給される。また、デコードされた音声データは、音声処理部２１に供給される。
【００２５】
画像処理部１８は、供給された映像データに対してＩ／Ｐ変換処理、ガンマ補正、スケーリング処理などを施す。また、画像処理部１８は、ＣＰＵ１１の制御に基づき、デジタルテレビ１の機能設定などを行うメニュー画面をＯＳＤ(On Screen Display)表示するための画像データを生成することができる。これら映像データや画像データは、画像処理部１８で表示部１７に表示するのに適した表示信号に変換され、表示部１７に供給される。表示部１７は、表示デバイスとして例えばＬＣＤ(Liquid Crystal Display)を用い、入力された映像信号を表示デバイスに表示させる。
【００２６】
音声処理部２１は、例えば内部にＤＳＰ(Digital Signal Processor)を有し、供給された音声データに対してサラウンド処理など所定の音響処理を施し、さらにアナログ音声信号に変換して出力する。音声処理部２１から出力されたアナログ音声信号は、アンプ２０で増幅されスピーカ１９で音声として出力される。
【００２７】
時計部２２は、時刻を計測する。時計部２２は、例えばクロックを計数することで、現在の時刻を求める。時計部２２から出力される時刻情報に基づき、デジタルテレビ１に接続された記録装置３や記録装置４に対して、録画予約により設定された時刻に録画を開始させることができる。
【００２８】
バス１０に対して、さらに、ＬＡＮコントローラ２４、ＨＤＭＩインターフェイス２５およびＣＥＣ送受信部２６が接続される。
【００２９】
接続手段としてのＬＡＮコントローラ２４は、ＬＡＮケーブル５が接続され、ＣＰＵ１１の制御に基づき、ＬＡＮケーブル５を介してなされる通信の制御を行う。例えば、ＬＡＮコントローラ２４は、ＣＰＵを有し、ＬＡＮケーブル５により接続された記録装置３との間で所定のプロトコルに従い通信を行い、データやコマンドの送受信を行う。
【００３０】
接続手段としてのＨＤＭＩインターフェイス２５およびＣＥＣ送受信部２６は、ＨＤＭＩケーブル６が共通して接続される。ＨＤＭＩインターフェイス２５は、ＨＤＭＩケーブル６を介して伝送される映像データおよび音声データを受信する。受信された映像データおよび音声データは、それぞれ画像処理部１８および音声処理部２１に供給される。ＣＥＣ送受信部２６は、ＣＰＵ１１の制御に基づき、ＨＤＭＩケーブル６を介してＣＥＣコマンドの送受信を行う。
【００３１】
なお、上述の図１では、デジタルテレビ１に対して２台の記録装置３および４がＬＡＮケーブル５およびＨＤＭＩケーブル６により接続されているが、これは一例であって、この例に限定されるものではない。
【００３２】
例えば、図３に例示されるように、ハードディスク５０が内蔵され、受信したデジタルテレビ放送による番組コンテンツを、このハードディスク５０に録画可能とされたデジタルテレビ１Ａを考える。この場合、このハードディスク５０を上述した記録装置３と見なすことができ、ハードディスク５０に対する録画や消去動作は、上述したＬＡＮ接続された記録装置３と略同様の手順により実現することができる。
【００３３】
また例えば、図４に例示されるように、デジタルテレビ１が複数のＨＤＭＩインターフェイスを有していれば、それぞれのＨＤＭＩインターフェイスに対して異なる記録装置４Ａおよび４Ｂを接続することも可能である。一例として、デジタルテレビ１において、ＨＤＭＩインターフェイス２５およびＣＥＣ送受信部２６の組が３組、設けられていれば、ＨＤＭＩに対応する記録装置を３台まで接続することができる。また、ＬＡＮに関しては、ＬＡＮコントローラ２４を複数設けてもよいし、ハブなどを用いてデジタルテレビ１の外部で接続可能数を増やすことも可能である。すなわち、デジタルテレビ１は、デジタルテレビ１自身に設けられた通信インターフェイス数に応じた数の記録装置を接続することができる。
【００３４】
ここで、デジタルテレビ１は、アンテナ７により受信されたデジタルテレビ放送による番組コンテンツを、デジタルテレビ１に接続された記録装置３および記録装置４に対してそれぞれ記録できるようにされている。なお、以下では、番組コンテンツを記録することを録画と呼ぶ。また、デジタルテレビ１は、当該番組コンテンツの記録装置３、４に対する録画を時刻を指定して行わせる、予約録画が可能とされている。本発明では、デジタルテレビ１側で録画予約を行うに当たって、予約によって録画された番組コンテンツを自動的に消去するための消去モードを設定する。
【００３５】
＜消去モードについて＞
この実施形態では、消去モードとして以下に示す７モードを用意する。
消去モード＃１：録画予約を行った全ての機器において消去。
消去モード＃２：再生を実行した機器以外の機器で消去。
消去モード＃３：再生を実行した機器のみで消去。
消去モード＃４：指定した機器以外の機器で消去。
消去モード＃５：バックアップメディアにバックアップを行った場合に消去。
消去モード＃６：最高画質の機器以外で消去。
消去モード＃７：自動消去を行わない。
【００３６】
これら消去モード＃１〜＃７について、より具体的な例を挙げて説明する。一例として、デジタルテレビ１に対して４台の記録装置Ａ〜Ｄが接続され、番組コンテンツＰをこれら記録装置Ａ〜Ｄのそれぞれに対して並行して録画した場合について考える。消去モードは、複数の記録装置に並行して録画された同一の番組コンテンツを消去する際の消去規則を指定するものである。
【００３７】
消去モード＃１は、録画された番組コンテンツＰを記録装置Ａ〜Ｄの何れかで再生した後、記録装置Ａ〜Ｄの全てにおいて、録画されている番組コンテンツＰを消去する。消去モード＃２は、録画された番組コンテンツＰを、例えば記録装置Ａで再生した後、記録装置Ｂ〜Ｄに録画された番組コンテンツＰを消去し、記録装置Ａに録画された番組コンテンツＰを保持する。消去モード＃３は、録画された番組コンテンツＰを、例えば記録装置Ａで再生した後、当該記録装置Ａに録画された番組コンテンツＰを消去し、記録装置Ｂ〜Ｄに録画された番組コンテンツＰを保持する。
【００３８】
消去モード＃４は、例えば録画予約時に１または複数の記録装置（例えば記録装置Ｂとする）を指定する。録画された番組コンテンツＰを記録装置Ａ〜Ｄの何れかで再生した後、指定された記録装置Ｂに録画された番組コンテンツＰを保持し、指定した記録装置Ｂ以外、すなわち、記録装置Ａ、ＣおよびＤに録画された番組コンテンツＰを消去する。
【００３９】
消去モード＃５は、例えば記録装置ＢがＤＶＤレコーダであって、ＤＶＤに対して番組コンテンツＰの録画を行う場合、記録装置Ｂ以外に録画された番組コンテンツＰを消去する。すなわち、ＤＶＤといった記録装置に対して着脱可能な記録媒体は、バックアップメディアとして機能できる。そこで、消去モード＃５では、バックアップメディアとして機能する記録媒体が装填された記録装置Ｂ以外の記録装置Ａ、ＣおよびＤにおいて、番組コンテンツＰを消去する。
【００４０】
消去モード＃６は、録画を行う記録装置のうち、最も高い画像解像度での録画が可能な記録装置以外の記録装置に録画された番組コンテンツを消去する。より具体的には、例えば記録装置ＣがＨＤ映像を記録可能で、記録装置Ａ、ＢおよびＤがＳＤ映像を記録可能、ＨＤ映像を記録不可である場合に、録画された番組コンテンツＰの再生後に、記録装置Ｃ以外に録画された番組コンテンツＰを削除する。なお、ＨＤは、High Definitionの略称であり、ＨＤ映像は、１９２０画素×１０８０画素の解像度とされる。また、ＳＤは、Standard Definitionの略称であり、ＳＤ映像は、７２０画素×４８０画素の解像度とされる。
【００４１】
消去モード＃７は、録画された番組コンテンツＰを記録装置Ａ〜Ｄの何れかで再生した後、記録装置Ａ〜Ｄの全てにおいて、当該番組コンテンツＰを消去しない。
【００４２】
消去モード＃１〜＃７それぞれについて、消去方法を示す消去制御情報は、例えばＲＯＭ１２予め記憶される。消去制御手段としてのＣＰＵ１１は、選択された消去モードに応じた消去制御情報をＲＯＭ１２から読み出すことで、消去モードに従った動作を行うことができる。
【００４３】
＜録画予約に係る概略的な処理について＞
図５は、本実施形態における録画予約に係る一例の処理を概略的に示す。ステップＳ１で、消去モードの設定が行われる。次のステップＳ２で、デジタルテレビ１に接続される記録装置の確認が行われる。
【００４４】
ステップＳ３〜ステップＳ５は、録画予約に関する処理である。ステップＳ３で、１つの番組に対する録画予約が行われる。このとき、当該番組を録画する記録装置を、１または複数、選択することができる。次のステップＳ４で、ステップＳ１で設定された消去モードが、必要に応じて変更される。複数の番組に対して録画予約を行う際には、これらステップＳ３およびステップＳ４の処理繰り返す（ステップＳ５）。すなわち、番組毎に録画を行う１または複数の記録装置と、消去モードとを設定することができる。ここで、録画を行う記録装置が１台のみ、設定された場合には、消去モードを強制的に消去モード＃７に設定することが考えられる。
【００４５】
録画予約が終了すると、処理はステップＳ６に移行され、ステップＳ３で選択された各記録装置に対して、録画予約を行うための設定がなされる。
【００４６】
＜消去モード設定処理＞
図６は、上述の図５におけるステップＳ１およびステップＳ２の処理に対応し、消去モードを設定する一例の処理を示すフローチャートである。ユーザは、例えばデジタルテレビ１から複数の記録装置への同一の番組コンテンツの録画予約を設定する際に、リモコン２の操作などにより、デジタルテレビ１に対してメニュー画面を表示させる。そして、表示されたメニュー画面から、消去モードを設定するための項目「録画消去モード設定」を選択する（ステップＳ１０）。項目「録画消去モード設定」が選択されると、処理はステップＳ１１に移行される。ステップＳ１１では、ＣＰＵ１１により、録画予約により録画した番組コンテンツの再生終了後の消去動作に関して選択可能な消去モードが表示部１７に一覧表示される。
【００４７】
ユーザは、例えば複数の記録装置への録画目的や、予約録画する番組コンテンツの用途に応じて、適した消去モードを選択することができる。例えばユーザによるリモコン２の操作などにより消去モードが選択される（ステップＳ１２）。消去モード設定手段としてのＣＰＵ１１は、選択された消去モードを示す情報をＲＡＭ１３やレジスタなどに保持し、消去モードの設定を行う。消去モードが設定されると、処理はステップＳ１３に移行される。
【００４８】
ステップＳ１３以降では、ＣＰＵ１１は、その時点でデジタルテレビ１に接続されている記録装置の認識を行う。ステップＳ１３において、ＣＰＵ１１は、ＬＡＮケーブル５で接続され、予めＩＰアドレスが登録されている記録装置（図１の例では記録装置３）に対して、状態確認メッセージを送信する。記録装置３は、この状態確認メッセージに応答して、装置の型名と主要仕様の情報とを含む応答メッセージをデジタルテレビ１に対して送信する。主要仕様の情報は、例えば、記録媒体の種類、記録媒体の空き容量などである。主要仕様に、記録可能な画像サイズ（画素数）を含めてもよい。
【００４９】
デジタルテレビ１において、ＣＰＵ１１は、この応答メッセージをＬＡＮケーブル５を介して受信すると（ステップＳ１４）、受信された応答メッセージに含まれる情報を、後述する接続機器情報管理テーブルに登録する（ステップＳ１５）。
【００５０】
なお、ステップＳ１３〜ステップＳ１５の処理は、ＬＡＮ接続が確認された記録装置の数に応じて繰り返される。
【００５１】
ここで、デジタルテレビ１と記録装置３とがＵＰｎＰ(Universal Plug and Play)規格に対応していれば、ＣＰＵ１１は、記録装置３のＩＰアドレスを自動的に取得することができる。それと共に、ＣＰＵ１１は、ＬＡＮケーブル５を介して接続された記録装置３とＵＰｎＰに規定されるプロトコルを用いて通信を行うことで、記録装置３に関する様々な情報を自動的に取得することができる。
【００５２】
例えば、ＣＰＵ１１は、記録装置３に関して、モデル名や製造元名といったベンダ固有の情報を取得できる。また例えば、ＣＰＵ１１は、この記録装置３を制御するために必須の、コマンドやアクション、サービス、パラメータや引数といった情報を、自動的に取得することができる。さらに例えば、ＣＰＵ１１は、記録装置３について、サービスが応答するアクションのリストや、実行時の状態を示す情報を取得することができる。
【００５３】
これに限らず、デジタルテレビ１と記録装置３との間で、例えばＴＣＰ／ＩＰをプロトコルとして用いてデータの送受信を行うようにしてもよい。この場合、記録装置３のＩＰ(Internet Protocol)アドレスは、予めデジタルテレビ１側に登録しておくことが考えられる。また、デジタルテレビ１がＤＨＣＰ機能を有していれば、記録装置３の接続毎にＩＰアドレスを割り当てることも可能である。なお、ＴＣＰ／ＩＰはTransmission Control Protocol/Internet Protocolの略称である。また、ＤＨＣＰはDynamic Host Configuration Protocolの略称である。
【００５４】
ＨＤＭＩにより接続されている記録装置については、デジタルテレビ１は、以下に示す手順で記録装置の認識を行う。ステップＳ１６で、ＣＰＵ１１は、ＨＤＭＩインターフェイス２５を制御してＨＰＤ(Hot Plug Detect)信号をアクティブにする。ＨＤＭＩケーブル６を介してデジタルテレビ１に接続された記録装置（図１の例では記録装置４）は、ＨＰＤ信号がアクティブになったことを検出すると、デジタルテレビ１との間でＨＤＭＩのプロトコルに従い通信を行い、デジタルテレビ１のＥＤＩＤを取得する。なお、ＥＤＩＤはExtended Display Identificationの略称である。
【００５５】
ステップＳ１７で、ＣＰＵ１１は、ＨＤＭＩ接続されている記録装置４に対して、装置の型名と主要仕様とを要求する要求コマンドを、例えばＣＥＣコマンドを用いて送信する。用いるＣＥＣコマンドとしては、ベンダ固有のコマンドを扱えるコマンドVender Specific Commandsや、ＯＳＤ用の機器名称を送信できるコマンドDevice OSD Name Transferを用いることが考えられる。記録装置４側がこれらのコマンドに対応していないような場合には、デフォルトの値を用いるようにできる。記録装置４は、この要求コマンドに応答して、装置の型名と主要仕様とを含む応答メッセージをデジタルテレビ１に対して送信する。
【００５６】
なお、消去モード＃５が選択されているときに、例えばステップＳ１６によりＨＤＭＩ接続の記録装置４が確認されなかった場合、その旨を表示部１７に表示するなどしてユーザに通知し、記録装置４の接続をユーザに促すと好ましい。
【００５７】
デジタルテレビ１において、ＣＰＵ１１は、ステップＳ１７による応答メッセージをＨＤＭＩケーブル６を介して受信すると、受信された応答メッセージに含まれる情報を、後述する接続機器情報管理テーブルに登録する（ステップＳ１８）。
【００５８】
なお、ステップＳ１６〜ステップＳ１８の処理は、デジタルテレビ１に対してＨＤＭＩ接続された記録装置４の数に応じて繰り返される。
【００５９】
上述では、最初にＬＡＮ接続された記録装置３に対する処理が行われ（ステップＳ１３〜ステップＳ１５）、次にＨＤＭＩ接続された記録装置４に対する処理が行われる（ステップＳ１６〜ステップＳ１８）ように説明したが、これはこの例に限られない。すなわち、ＬＡＮ接続された記録装置３に対する処理と、ＨＤＭＩ接続された記録装置４に対する処理の順序を入れ替えてもよいし、これらの処理を並列的に行ってもよい。
【００６０】
図７は、接続機器情報管理テーブルの一例の構成を示す。この接続機器情報管理テーブルは、上述したステップＳ１５およびステップＳ１８において、ＣＰＵ１１により情報の登録がなされ、例えばＲＡＭ１３に格納される。ＣＰＵ１１は、録画された番組コンテンツの消去動作を、この接続機器情報管理テーブルの情報に基づき、接続された記録装置の種別に応じて切り替えることで、各消去モードにおける動作を実現する。また、ＣＰＵ１１は、この接続機器情報管理テーブルの情報に基づき、録画された番組コンテンツの消去を行う優先順位を決める。
【００６１】
図７に例示されるように、接続機器情報管理テーブルでは、各記録装置を識別するためのＩＤと、各記録装置の種別、型名および仕様とが対応付けられて格納される。図７の例では、ＩＤとして、各記録装置が接続されるインターフェイスのアドレス情報が用いられている。すなわち、ＬＡＮ接続されている記録装置の場合には、ＩＤとしてＩＰアドレスが用いられる。また、ＨＤＭＩ接続されている記録装置の場合には、ＨＤＭＩ端子名が用いられる。
【００６２】
種別は、例えば記録装置のタイプを示す。図７の例では、ＬＡＮ  ＨＤＤ、ＨＤＤレコーダ、ＤＶＤレコーダおよびＨＤＤ＋ＤＶＤレコーダが種別として登録されている。ＬＡＮ  ＨＤＤは、例えばＬＡＮ接続され、ハードディスクを内蔵するストレージ装置である。ＨＤＤレコーダは、例えばチューナとハードディスクとを有し、チューナで受信されたデジタルテレビ放送による番組コンテンツをハードディスクに録画可能とされたレコーダである。ＤＶＤレコーダは、例えばチューナとＤＶＤドライブとを有し、チューナで受信されたデジタルテレビ放送による番組コンテンツをＤＶＤドライブに装填されたＤＶＤに録画可能とされたレコーダである。また、ＤＶＤ＋ＨＤＤレコーダは、例えばチューナとハードディスクとＤＶＤドライブとを有し、チューナで受信されたデジタルテレビ放送による番組コンテンツをハードディスクおよびＤＶＤの何れか一方または両方に録画可能とされたレコーダである。
【００６３】
仕様は、例えば記録装置の録画に関する仕様を示す。図７の例では、記録装置に用いられる記録媒体によって、録画に関する仕様を示している。一例として、仕様がＤＶＤであれば、ＤＶＤビデオの規格に従いＳＤ映像の記録が可能で、ＨＤ映像の記録が不可であることが示される。また、仕様がＨＤＤ（ハードディスクドライブ）であれば、ＨＤ映像およびＳＤ映像の両方の記録が可能であることが示される。
【００６４】
このようにして、消去モードの選択と、接続機器の確認とが終了すると、ＣＰＵ１１は、接続機器の種別と消去モードとを関連付けた消去モード設定テーブルを作成し、ＲＡＭ１３に格納する。この消去モード設定テーブルは、消去モードの選択状態が変化したり、デジタルテレビ１に接続される記録装置の状態が変化したりする度に更新される。
【００６５】
＜録画予約処理＞
図８は、デジタルテレビ１に対して録画予約を行う場合の一例の処理を示すフローチャートである。図８におけるステップＳ３１以下の処理が、上述の図５におけるステップＳ３およびステップＳ４の処理に対応する。録画の予約は、ＥＰＧを用いて行うことができる。例えばユーザによるリモコン２の操作に応じて、ＣＰＵ１１は、ＥＰＧを起動する（ステップＳ３０）。例えばＣＰＵ１１は、デマルチプレクサ１５で取得されたＳＩ信号からＥＰＧを構成するために必要なデータを抽出し、ＥＰＧをＯＳＤするための表示制御信号を生成する。
【００６６】
一例として、ＣＰＵ１１は、例えばチャンネル情報や番組を特定するための番組ＩＤ、番組の放送時刻を示す情報をＳＩ信号から抽出して、ＥＰＧを構成する。この表示制御信号は、画像処理部１８に供給されてＯＳＤを行う表示信号に変換され、表示部１７に供給される。
【００６７】
ユーザは、例えば表示部１７に表示されたＥＰＧのＯＳＤを見ながらリモコン２を操作することで、所望の番組を選択することができる。番組が選択された状態でリモコン２に設けられた録画予約ボタンが押下されると（ステップＳ３１）、ＣＰＵ１１により、図９（ａ）に例示されるような、予約内容を確認する予約確認画面１００が表示部１７に表示される。この例では、予約確認画面１００に対し、予約された番組の情報を表示する番組情報表示部１０１と、録画を行う記録装置を選択するための録画機器選択部１０２と、予約された番組に対する消去モードを選択するための消去モード選択部１０３とが設けられる。
【００６８】
なお、図９（ａ）の例では、消去モード選択部１０３は、上述した図６のフローチャートにおいてステップＳ１２で設定された消去モードが予め表示されている。
【００６９】
ＣＰＵ１１は、録画予約ボタンの押下に応じて、ＲＡＭ１３に格納された接続機器情報管理テーブルを参照して、デジタルテレビ１に接続されている記録装置の状態を確認する（ステップＳ３２）。そして、その結果に基づき、録画可能な記録装置が接続されているか否かが判断される（ステップＳ３３）。
【００７０】
若し、録画可能な記録装置が接続されていないと判断されれば、処理はステップＳ４０に移行される。ステップＳ４０で、ＣＰＵ１１は、表示部１７に対して、録画可能な記録装置が接続されていない旨をユーザに通知するための表示を行い、処理をステップＳ３０に戻す。
【００７１】
一方、ステップＳ３３で、録画可能な記録装置が接続されていると判断されれば、処理はステップＳ３４に移行される。ステップＳ３４では、録画を行う記録装置を選択するための処理が行われる。ユーザは、予約確認画面１００上で、選択された番組を録画する記録装置を選択することができる。デフォルトの状態では、デジタルテレビ１に接続された、録画可能な全ての記録装置において録画を行う設定になっている。デフォルトの設定のまま録画を行う場合は、例えばリモコン２に設けられた方向指示ボタンおよび決定ボタンを用い、方向指示ボタンを操作して録画機器選択部１０２にフォーカスを当てた状態で、決定ボタンを押下する。
【００７２】
録画を行う記録装置を選択したい場合には、例えばリモコン２を操作して録画機器選択部１０２にフォーカスを当てた状態で、例えばリモコン２に設けられた選択ボタンを押下する。選択ボタンが押下されると、ＣＰＵ１１は、接続機器情報管理テーブルの情報に基づき、図９（ｂ）に例示されるように、録画可能な記録装置の一覧１０４を表示させる。記録装置の一覧１０４には、デジタルテレビ１に接続されている、録画可能な記録装置の名称が一覧表示される。図９（ｂ）の例では、記録装置の名称として、接続機器情報管理テーブルの型名とＩＤとが組み合わされて用いられている。ユーザは、リモコン２を操作して録画を行いたい記録装置を選択し、決定ボタンを押下することで、選択された記録装置に対して録画予約を行うことができる。複数の記録装置を選択してから決定ボタンを押下することで、当該複数の記録装置に対して一括して録画予約を行うことができる。
【００７３】
なお、消去モード＃５が設定されている場合、録画を行う記録装置を選択する際に、バックアップメディアとして利用可能な記録媒体を用いる記録装置が少なくとも１台、自動的に選択されるようにする。例えば、消去モード＃５が設定されている場合に、ＤＶＤなどの光ディスクといった、記録装置に対して着脱可能な記録媒体に番組コンテンツを録画するようにした記録装置４を、自動的に選択する。勿論、消去モード＃５においても、バックアップメディアとして利用可能な記録媒体を用いる記録装置に加え、他の記録装置（例えば記録装置３）をさらに選択することができる。
【００７４】
ステップＳ３０〜ステップＳ３４の処理により、録画予約を行う番組と、録画を行う記録装置とが決定されると、記録制御手段としてのＣＰＵ１１は、処理を、録画予約を行うように決定された各記録装置に対する録画予約処理に移行させる。録画予約処理は、録画予約を行う記録装置の種別毎に異なる手順により実行される。すなわち、記録装置がＨＤＭＩ接続されたレコーダであれば、予約による録画は、レコーダ本体の機能により行うことができる。一方、記録装置がＬＡＮ接続されたハードディスクドライブであれば、予約による録画は、デジタルテレビ１側のＣＰＵ１１において制御されることになる。
【００７５】
ステップＳ３５で、録画予約を、デジタルテレビ１に接続された録画可能な全ての記録装置に対して行うか否かが判断される。若し、全ての記録装置で録画予約を行うと判断されれば、処理はステップＳ３６に移行される。
【００７６】
ステップＳ３６では、ＣＰＵ１１により、ＨＤＭＩ接続された記録装置４に対して、録画予約を命令する予約コマンドがＣＥＣコマンドを用いて送信される。例えば、ＣＥＣコマンドのコマンドTimer Programmingを用いて、記録装置４に対して録画予約を命令することができる。予約コマンドには、少なくとも、録画予約を行う番組を特定するための、番組ＩＤが含まれる。この予約コマンドを受信した記録装置４は、例えば記録装置４本体に対する操作により行われる録画予約と共通の予約管理テーブルで、予約コマンドにより示される予約情報を管理する。
【００７７】
このステップＳ３６の処理は、デジタルテレビ１に対してＨＤＭＩ接続された録画可能な記録装置のうち、録画予約を行うように決定された記録装置の数に応じて繰り返される。
【００７８】
次のステップＳ３７で、ＬＡＮ接続された記録装置３に対する処理が行われる。この場合、ＣＰＵ１１は、録画予約された内容に基づき予約管理テーブルを生成し、ＲＡＭ１３に保持する。予約管理テーブルには、録画開始／終了日時および録画チャンネル情報が、記録装置３を特定する情報（例えば接続機器情報管理テーブルにおけるＩＤ）と対応付けられて格納される。
【００７９】
このステップＳ３７の処理は、ＬＡＮ接続が確認された、録画可能な記録装置のうち、録画予約を行うように決定された記録装置の数に応じて繰り返される。
【００８０】
なお、予約確認画面１００上から、消去モードを変更することが可能である。例えば、ステップＳ３８により予約確認画面１００に設けられた消去モード選択部１０３にフォーカスを当てた状態で、リモコン２の選択ボタンを押下すると、図９（ｃ）に例示されるように、ＣＰＵ１１により、選択可能な消去モードの一覧１０５が表示される。ユーザは、リモコン２を操作して所望の消去モードを選択し、決定ボタンを押下することで、ＣＰＵ１１により消去モード設定テーブルが書き換えられ消去モードが更新される（ステップＳ３９）。
【００８１】
上述のステップＳ３５で、録画予約を、デジタルテレビ１に接続された録画可能な記録装置のうち、ステップＳ３４で選択された記録装置に対して行うと判断されれば、処理はステップＳ４１に移行される。
【００８２】
ステップＳ４１では、ＬＡＮ接続された記録装置３に対して録画予約を行うように設定されているか否かが判断され、若し、設定されていないと判断されれば、処理はステップＳ４３に移行される。一方、ＬＡＮ接続された記録装置３に対して録画予約を行うように設定されていると判断されれば、処理はステップＳ４２に移行され、上述したステップＳ３７の処理と同様にしてＬＡＮ接続された記録装置３に対する処理が行われる。すなわち、ＣＰＵ１１は、録画予約された内容に基づき予約管理テーブルを生成し、ＲＡＭ１３に保持する。
【００８３】
処理はステップＳ４３に移行され、ＨＤＭＩ接続された記録装置４に対して録画予約を行うように設定されているか否かが判断され、若し、設定されていないと判断されれば、処理はステップＳ３０に戻される。一方、ＨＤＭＩ接続された記録装置４に対して録画予約を行うように設定されていると判断されれば、処理はステップＳ４４に移行される。ステップＳ４４では、上述したステップＳ３６の処理と同様にして、ＣＰＵ１１により、ＨＤＭＩ接続された記録装置４に対して、録画予約を命令する予約コマンドがＣＥＣコマンドを用いて送信される。
【００８４】
上述のステップＳ４１およびステップＳ４２の処理、ならびに、ステップＳ４３およびステップＳ４４の処理は、それぞれ録画予約を行うように設定された記録装置の数に応じて繰り返される。
【００８５】
このようにして、デジタルテレビ１から各記録装置に対する同一番組の録画予約の設定が完了される。
【００８６】
なお、上述の図５におけるステップＳ３〜ステップＳ５に示されるように、上述のステップＳ３１〜ステップＳ４４の処理を複数回繰り返すことで、複数の番組に対する録画予約を行うことができる。このとき、当該複数の番組に対する録画予約のそれぞれにおいて、異なる記録装置の組や異なる消去モードを指定することができる。この場合、ＣＰＵ１１は、上述した消去モード設定テーブルを、例えば番組を特定する情報（番組ＩＤなど）と関連付けて録画予約を行った番組毎に作成する。複数の番組に対して連続的に録画予約を設定する場合には、２番目以降の番組に対する録画予約処理時に、ステップＳ３２、ステップＳ３３およびステップＳ４０の処理を省略することができる。
【００８７】
また、上述のステップＳ３８及びステップＳ３９において、バックアップメディアとして利用可能な記録媒体を用いる記録装置が選択されていない場合に、消去モード＃５を設定不可とすると、好ましい。
【００８８】
図８の録画予約処理が終了されると、録画予約を行うように選択された記録装置のそれぞれに対して、録画予約による録画を実行するための設定がなされる（図６のステップＳ６参照）。
【００８９】
ＨＤＭＩ接続された記録装置４では、記録装置４自身が持つ予約管理テーブルを参照し、録画を予約された時刻になると、受信チャンネルの設定など録画に必要な所定の処理を行う。そして、受信したデジタルテレビ放送の番組コンテンツに対して所定の信号処理を施し、さらにＣＰＲＭ(Content Protection for Recordable Media)により暗号化処理を施した上で、記録媒体に記録する。
【００９０】
記録装置４が記録媒体としてＤＶＤを用いるＤＶＤレコーダである場合には、記録装置４は、録画に用いるために装填されるＤＶＤのメディアＩＤと、録画を行う番組コンテンツに対応する番組ＩＤとを関連付けて、メモリなどに保持する。
【００９１】
一方、ＬＡＮ接続された記録装置３について、デジタルテレビ１のＣＰＵ１１は、ＲＡＭ１３に記憶される予約管理テーブルを参照し、録画を予約された時刻になると、受信チャンネルの設定など録画に必要な所定の処理を行う。そして、受信したデジタルテレビ放送の番組コンテンツによる映像データおよび音声データなどの記録装置３に対する書き込みを開始する。
【００９２】
ＣＰＵ１１は、例えばデマルチプレクサ１５で構築された、映像データおよび音声データによるエレメンタリストリームに基づきファイルを生成し、記録装置３に対して送信する。これに限らず、エレメンタリストリームをデコーダ１６でデコードし、ベースバンドの映像および音声データの形式でファイルに格納して、記録装置３に対して送信してもよい。ＣＰＵ１１は、映像および音声データに対してＣＰＲＭにより暗号化処理を施し、該当する記録装置３のＩＰアドレスに対して送信する。
【００９３】
＜再生処理＞
デジタルテレビ１からの録画予約設定により記録装置３および記録装置４に録画された番組コンテンツを再生する処理について、概略的に説明する。一例として、リモコン２に設けられたメニューボタンを押下すると、ＣＰＵ１１は、デジタルテレビ１に接続されている記録装置の一覧を表示部１７に対して表示させる。その状態で、リモコンの方向指示ボタンを用いて記録装置を選択し、決定ボタンを押下すると、ＣＰＵ１１は、選択された記録装置に対して、当該記録装置において録画された番組コンテンツの一覧を示す情報を要求する。
【００９４】
例えば、ＬＡＮ接続された記録装置３が選択された場合、ＣＰＵ１１は、所定のプロトコルに従い、録画された番組コンテンツのファイル名の一覧を要求することが考えられる。また例えば、ＨＤＭＩ接続された記録装置４が選択された場合、ＣＰＵ１１は、ＣＥＣコマンドを用いて記録装置４に録画されている番組コンテンツの一覧を要求することが考えられる。
【００９５】
ＣＰＵ１１は、選択された記録装置から、要求に応じて送信された番組コンテンツの一覧に基づき、録画された番組一覧を表示部１７に表示させる。ユーザは、例えばリモコン２の方向指示ボタンと決定ボタンとを用いて再生させたい番組を選択、決定する。
【００９６】
選択された記録装置がＨＤＭＩ接続された記録装置４である場合には、ＣＰＵ１１は、再生が決定された番組の番組情報を含む再生コマンドを、ＣＥＣコマンドを用いて記録装置４に送信する。記録装置４は、このＣＥＣコマンドに応じて記録媒体から録画された番組コンテンツを読み出して、ベースバンドの映像データおよび音声データとし、所定に暗号化して出力し、ＨＤＭＩケーブル６を介してデジタルテレビ１に送信する。
【００９７】
一方、選択された記録装置がＬＡＮ接続された記録装置３である場合には、ＣＰＵ１１は、ＬＡＮコントローラ２４が有するＣＰＵに対し、再生が決定された番組の情報を渡す。ＬＡＮコントローラ２４内のＣＰＵは、この情報に基づき記録装置３にアクセスし、記録装置３に録画された、指定された録画データを読み出す。この録画データは、映像データおよび音声データが例えばＭＰＥＧ２方式で圧縮符号化されファイルに格納されたデータである。このデータは、ＬＡＮコントローラ２４に受信され、デコーダ１６に供給されてデコードされ、表示部１７への表示や、スピーカ１９からの出力に供される。
【００９８】
なお、上述では、記録装置を選択してから録画された番組コンテンツを選択するようにしているが、これはこの例に限定されない。すなわち、録画予約により録画された番組コンテンツを選択してから、再生する記録装置を選択するようにしてもよい。
【００９９】
＜各消去モードの動作について＞
次に、上述した消去モード＃１〜＃７の動作について説明する。消去モード＃１〜＃６は、上述の図６の処理に従い消去モードが設定され、図８の処理に従い録画予約され録画された番組コンテンツを再生した後の動作となる。これら消去モード＃１〜＃６における番組コンテンツの消去動作について、図１０、ならびに、図１１〜図１６のフローチャートを用いて説明する。
【０１００】
図１０のフローチャートに例示されるように、デジタルテレビ１において、ＣＰＵ１１は、上述のようにして記録装置３または記録装置４に対して指示した録画予約により録画した番組コンテンツの再生終了を待機する（ステップＳ５０）。例えばリモコン２に対する操作により番組コンテンツの再生終了が命令され、当該命令に応じて記録装置３または記録装置４において当該番組コンテンツの再生が終了されると、処理がステップＳ５１に移行される。
【０１０１】
ステップＳ５１で、選択手段としてのＣＰＵ１１は、図６または図８のステップＳ３７およびステップＳ３８の処理により設定された消去モードを参照する。消去モードが消去モード＃１〜＃６であれば、ＣＰＵ１１は、それぞれの消去モードに応じた処理を行う。消去モードが消去モード＃７であれば、何も行わず処理が終了される。
【０１０２】
なお、図１０において、符号Ａ〜Ｆは、図１１〜図１６の対応する符号に処理が移行することを示す。また、以下では、説明のため、記録装置３がハードディスクを内蔵するストレージ装置であるものとし、記録装置４がＤＶＤレコーダであるものとする。なお、ここでは、ＤＶＤレコーダは、記録媒体としてＤＶＤを用いる本来の意味におけるＤＶＤレコーダを指すと共に、ハードディスクが内蔵されＤＶＤと内蔵ハードディスクとを記録媒体として用いる装置も含むものとする。また、ＤＶＤよりさらに大容量のデータの記録が可能とされた光ディスクを記録媒体として用いる装置も、便宜上、ＤＶＤレコーダとして記述する。
【０１０３】
＜消去モード＃１＞
図１１は、消去モード＃１の場合の一例の処理を示す。消去モード＃１では、再生が終了した番組コンテンツと同一の番組コンテンツの録画予約を行った全ての機器において、当該番組コンテンツの消去が行われる。消去モード＃１では、ユーザが意識的に消去動作を行わなくとも、番組コンテンツの再生が終了した時点で当該番組コンテンツを全て消去することができる。図１１において、ステップＳ６０〜ステップＳ６５は、ＤＶＤレコーダに対する消去動作である。また、ステップＳ６７〜ステップＳ７０は、ストレージ装置に対する消去動作である。
【０１０４】
ステップＳ６０で、消去制御手段としてのＣＰＵ１１は、ＤＶＤレコーダに対して、消去すべき番組ＩＤを含む録画消去コマンドを送信する。録画消去コマンドは、例えばＣＥＣコマンドのコマンドDeck Controlを用いることができる。ＤＶＤレコーダは、録画消去コマンドを受信すると、録画消去コマンドに含まれる番組ＩＤに関連付けられたメディアＩＤを有するＤＶＤが装填されているか否かを判断する。該当するＤＶＤが装填されていると判断されると、ＤＶＤレコーダは、デジタルテレビ１に対して消去確認メッセージをＨＤＭＩケーブル６を介して送信する。
【０１０５】
なお、ＤＶＤレコーダは、該当するＤＶＤが装填されていないと判断すると、その旨を示すメッセージをデジタルテレビ１に対して送信する。
【０１０６】
ステップＳ６１で、デジタルテレビ１において、ＣＰＵ１１は、ＤＶＤレコーダからのメッセージを待機する。消去確認メッセージが受信されると、番組コンテンツの消去の可否をユーザに対して問い合わせる（ステップＳ６２）。ＣＰＵ１１は、例えば表示部１７に対して「ＤＶＤから消去していいですか？」などと表示させ、ユーザに対して番組コンテンツの消去の可否を問い合わせる。ユーザにより例えばリモコン２が操作され、番組コンテンツの消去が命令されると（ステップＳ６３）、処理はステップＳ６４に移行される。
【０１０７】
このとき、ユーザは、該当するＤＶＤを当該ＤＶＤレコーダに装填することで、当該番組コンテンツの消去動作を開始させることができる。例えば、ＤＶＤレコーダは、ＤＶＤが装填されるとメディアＩＤを参照し、このメディアＩＤがステップＳ６０で受信した録画消去コマンドに含まれる番組ＩＤと関連付けられていると判断すると、ステップＳ６１からの処理を実行する。
【０１０８】
ステップＳ６４で、ＣＰＵ１１は、ＤＶＤレコーダに対して録画された番組コンテンツの消去を命令する消去実行コマンドを送信する。消去実行コマンドは、例えば、ＣＥＣコマンドのコマンドDeck Controlを用いることができる。この消去実行コマンドを受信したＤＶＤレコーダは、装填されたＤＶＤに記録される、番組ＩＤに対応するデータを消去する。
【０１０９】
なお、ステップＳ６３で、ユーザ操作により番組コンテンツの消去がキャンセルされたような場合、処理はステップＳ６５に移行され、ＣＰＵ１１により、番組コンテンツの消去を実行しなかった旨が、表示部１７への表示などを用いてユーザに通知される。
【０１１０】
また、上述のステップＳ６１で、ＤＶＤレコーダから該当ＤＶＤが装填されていないことを示すメッセージが受信された場合に、処理をステップＳ６５に移行させるようにできる（図示しない）。この場合、ステップＳ６５で、ＣＰＵ１１は、表示部１７に対して、「ＤＶＤが装填されていないため消去を行いませんでした。」などと表示させ、該当するＤＶＤが装填されていないため消去を実行しなかった旨をユーザに通知する。
【０１１１】
ステップＳ６４の番組コンテンツの消去処理またはステップＳ６５による通知処理が終了すると、処理はステップＳ６６に移行される。ステップＳ６６では、当該番組コンテンツを録画予約した全てのＤＶＤレコーダ、すなわちＨＤＭＩ接続の記録装置４に関して処理が終了したか否かがＣＰＵ１１により判断され、終了していないと判断されたら、処理はステップＳ６０に戻される。終了していると判断されたら、処理はステップＳ６７に移行される。
【０１１２】
ステップＳ６７で、ＣＰＵ１１は、再生が終了した番組コンテンツと同一の番組コンテンツのストレージ装置からの消去の可否を、ユーザに対して問い合わせる。ＣＰＵ１１は、例えば表示部１７に対して「ハードディスクから消去していいですか？」などと表示させ、番組コンテンツ消去の可否を問い合わせる。ユーザにより例えばリモコン２が操作され、番組コンテンツの消去が命令されると（ステップＳ６８）、処理はステップＳ６９に移行される。ステップＳ６９で、ＣＰＵ１１は、ストレージ装置に対して当該番組コンテンツに対応するファイルの削除命令を送信する。
【０１１３】
ストレージ装置は、この削除命令に応じて、当該ファイルの削除処理を行う。例えば、ストレージ装置は、当該ファイルに対して削除マークを付加する。これにより、当該ファイルが記録されていた領域に新たなファイル（番組コンテンツ）を記録することが可能となる。
【０１１４】
一方、ステップＳ６７で、番組コンテンツの消去がキャンセルされるなどにより番組コンテンツの消去命令がなされないと判断されたら、処理はステップＳ７０に移行され、番組コンテンツの消去を実行しなかった旨がユーザに通知される。
【０１１５】
処理はステップＳ７１に移行され、当該番組コンテンツを予約録画した全てのストレージ装置、すなわちＬＡＮ接続の記録装置３に関して処理が終了したか否かがＣＰＵ１１により判断され、終了していないと判断されたら、処理はステップＳ６７に戻される。終了していると判断されたら、消去モード＃１による一連の消去処理が終了される。
【０１１６】
また、図１１では、最初にＤＶＤレコーダすなわちＨＤＭＩ接続された記録装置４に対する処理を行い、次にストレージ装置すなわちＬＡＮ接続された記録装置３に対する処理を行うように説明したが、これはこの例に限定されない。すなわち、ＬＡＮ接続された記録装置に対する処理と、ＨＤＭＩ接続された記録装置に対する処理の順序を入れ替えてもよいし、これらの処理を並列的に行ってもよい。
【０１１７】
さらに、上述では、ステップＳ６２およびステップＳ６３、ならびに、ステップＳ６７およびステップＳ６８において、番組コンテンツの消去の可否をユーザに問い合わせているが、この処理を省略することも可能である。この場合、処理がより高速になると共に、ユーザが意識することなく、各記録装置において番組コンテンツが自動的に消去される。
【０１１８】
＜消去モード＃２＞
次に、消去モード＃２の場合の処理について説明する。消去モード＃２では、再生が終了した記録装置に録画されている番組コンテンツは、そのまま保持し、同一の番組コンテンツの録画予約が行われた他の記録装置に録画された当該番組コンテンツを消去する。換言すれば、消去モード＃２では、複数の記録装置に録画された同一番組コンテンツのうち、再生できたことが確認されたもののみを保持し、他の番組コンテンツを不要であると見做して自動的に削除する。
【０１１９】
消去モード＃２の処理は、基本的には、上述した図１１と同様にして行われる。すなわち、同一の番組コンテンツの録画予約が行われたＤＶＤレコーダおよびストレージ装置のそれぞれにおいて、録画予約により録画された番組コンテンツの再生が行われた記録装置以外の装置について、番組コンテンツの消去処理が行われる。
【０１２０】
例えば、図１２のフローチャートに概略的に例示されるように、同一の番組コンテンツの録画予約を行ったＤＶＤレコーダおよびストレージ装置について、録画予約により録画した番組コンテンツを再生した装置であるか否かを順次判断する。番組コンテンツの再生制御はデジタルテレビ１側から行うので、どの装置で再生を行ったかは、ＣＰＵ１１にとって既知である。
【０１２１】
図１２において、ステップＳ８０で、ＣＰＵ１１は、デジタルテレビ１にＨＤＭＩ接続され録画予約を行ったＤＶＤレコーダが、当該録画予約により録画した番組コンテンツを再生したか否かを判断する。若し、再生していないと判断すれば、処理はステップＳ８１に移行され、ＣＰＵ１１により、当該ＤＶＤレコーダに対する当該番組コンテンツの消去処理が行われる。一方、再生していると判断されれば、当該ＤＶＤレコーダに対する番組コンテンツの消去処理を行わずに、処理がステップＳ８２に移行される。
【０１２２】
ステップＳ８１では、上述した図１１のステップＳ６０〜ステップＳ６５の処理が行われる。すなわち、ＣＰＵ１１は、ＤＶＤレコーダに対して、消去すべき番組ＩＤを含む録画消去コマンドを送信する。ＤＶＤレコーダにおいて対応するＤＶＤが装填されているか否かが判断され、装填されている判断されれば、消去確認メッセージがＤＶＤレコーダからデジタルテレビ１に対して送信される。ＣＰＵ１１は、ＤＶＤレコーダからの消去確認メッセージを受信すると、番組コンテンツの消去の可否を、表示部１７に対する表示などを用いてユーザに対して問い合わせる。
【０１２３】
ユーザのリモコン２の操作などにより番組コンテンツの消去が命令されると、デジタルテレビ１からＤＶＤレコーダに対して、番組コンテンツの消去実行コマンドが送信される。この消去実行コマンドを受信したＤＶＤレコーダは、装填されたＤＶＤに記録される、上述の録画消去コマンドと共に受信した番組ＩＤに対応するデータを消去する。また、対応するＤＶＤが装填されていない場合や、ユーザ操作により番組コンテンツの消去がキャンセルされたような場合には、番組コンテンツの消去を実行しなかった旨がユーザに通知される。
【０１２４】
ステップＳ８２では、当該番組コンテンツを録画予約した全てのＤＶＤレコーダに関して処理が終了したか否かがＣＰＵ１１により判断され、終了していないと判断されたら、処理はステップＳ８０に戻される。終了していると判断されたら、処理はステップＳ８３に移行される。
【０１２５】
ステップＳ８３では、ＣＰＵ１１は、デジタルテレビ１にＬＡＮ接続され録画予約を行ったストレージ装置が、当該録画予約により録画した番組コンテンツを再生したか否かを判断する。若し、再生していないと判断すれば、処理はステップＳ８４に移行され、ＣＰＵ１１により、当該ストレージ装置に対する当該番組コンテンツの消去処理が行われる。一方、再生していると判断されれば、当該ストレージ装置に対する番組コンテンツの消去処理を行わずに、処理がステップＳ８５に移行される。
【０１２６】
なお、上述のステップＳ８０において、再生をＤＶＤレコーダで行ったと判断された場合には、このステップＳ８３の処理を省略することができる。
【０１２７】
ステップＳ８４では、上述した図１１のステップＳ６７〜ステップＳ７０の処理が行われる。すなわち、ＣＰＵ１１は、再生が終了した番組コンテンツと同一の番組コンテンツのストレージ装置からの消去の可否を、表示部１７への表示などを用いてユーザに対して問い合わせる。ユーザのリモコン２操作などにより番組コンテンツの消去が命令されると、ＣＰＵ１１は、ストレージ装置に対して当該番組コンテンツに対応するファイルの削除命令を送信する。ストレージ装置は、この削除命令に応じて、例えば当該ファイルに対して削除マークを付加する。
【０１２８】
ステップＳ８５では、当該番組コンテンツを予約録画した全てのストレージ装置に関して処理が終了したか否かがＣＰＵ１１により判断され、終了していないと判断されたら、処理はステップＳ８３に戻される。終了していると判断されたら、消去モード＃２による一連の消去処理が終了される。
【０１２９】
なお、上述では、ＤＶＤレコーダに対する処理を行ってからストレージ装置に対する処理を行っているが、これらの順序を入れ替えてもよいし、これらの処理を並列的に行ってもよい。
【０１３０】
＜消去モード＃３＞
図１３は、消去モード＃３の場合の一例の処理を示す。消去モード＃３では、同一の番組コンテンツの録画予約を行った記録装置のうち、当該録画予約により録画された番組コンテンツを再生した記録装置のみにおいて、当該番組コンテンツの消去を行う。ステップＳ９０で、ＣＰＵ１１は、録画予約により録画した番組コンテンツを再生した記録装置がＤＶＤレコーダおよびストレージ装置の何れであるかを判断する。番組コンテンツの再生制御は、デジタルテレビ１側から行うので、どの装置で再生を行ったかは、ＣＰＵ１１にとって既知である。
【０１３１】
若し、録画予約により録画した番組コンテンツの再生をＤＶＤレコーダで行ったと判断されれば、処理はステップＳ９１に移行される。ステップＳ９１では、ＣＰＵ１１により、上述した図１１のステップＳ６０〜ステップＳ６５の処理と同様にして、当該ＤＶＤレコーダに対する番組コンテンツの消去処理が行われる。
【０１３２】
ＣＰＵ１１は、録画予約により録画した番組コンテンツを再生したＤＶＤレコーダに対して、消去すべき番組ＩＤを含む録画消去コマンドを送信する（ステップＳ９１）。ＤＶＤレコーダは、録画消去コマンドに応じて、録画消去コマンドに含まれる番組ＩＤに関連付けられたメディアＩＤを有するＤＶＤが装填されているか否かを判断する。該当するＤＶＤが装填されていると判断されると、ＤＶＤレコーダは、デジタルテレビ１に対して消去確認メッセージをＨＤＭＩケーブル６を介して送信する。該当するＤＶＤが装填されていない場合、その旨示すメッセージがＤＶＤレコーダからデジタルテレビ１に対して送信される。
【０１３３】
デジタルテレビ１において、ＣＰＵ１１は、ＤＶＤレコーダからのメッセージを待機する（ステップＳ９２）。消去確認メッセージが受信されると、ＣＰＵ１１は、番組コンテンツの消去の可否を、表示部１７に対する表示などを用いてユーザに対して問い合わせる（ステップＳ９３）。ユーザのリモコン２の操作などにより番組コンテンツの消去が命令されると（ステップＳ９４）、処理はステップＳ９５に移行される。なお、これらステップＳ９３およびステップＳ９４の処理を省略して、ステップＳ９２により消去確認メッセージが受信されたら直接的にステップＳ９５に処理を移行させてもよい。
【０１３４】
なお、ステップＳ９４で、ユーザ操作により番組コンテンツの消去がキャンセルされたような場合、処理はステップＳ９６に移行され、ＣＰＵ１１により、番組コンテンツの消去を実行しなかった旨がユーザに通知される。
【０１３５】
また、上述したステップＳ９２で、ＤＶＤレコーダから該当ＤＶＤが装填されていないことを示すメッセージが受信された場合に、処理をステップＳ９６に移行させるようにできる（図示しない）。そして、表示部１７に対する表示などを用いて、該当するＤＶＤが装填されていないため消去を実行しなかった旨をユーザに通知する。このとき、ユーザは、該当するＤＶＤを当該ＤＶＤレコーダに装填することで、当該番組コンテンツの消去動作を開始させることができる。
【０１３６】
ステップＳ９５で、ＣＰＵ１１は、ＤＶＤレコーダに対して、録画予約により録画された番組コンテンツの消去を命令する消去実行コマンドを送信する。この消去実行コマンドを受信したＤＶＤレコーダは、装填されたＤＶＤに記録される、番組ＩＤに対応するデータを消去する。
【０１３７】
上述のステップＳ９０で、若し、録画予約により録画した番組コンテンツの再生をストレージ装置で行ったと判断されれば、処理はステップＳ９７に移行される。ステップＳ９７では、ＣＰＵ１１により、上述した図１１のステップＳ６７〜ステップＳ７０の処理と同様にして、当該ストレージ装置に対する番組コンテンツの消去処理が行われる。
【０１３８】
ＣＰＵ１１は、再生が終了した番組コンテンツのストレージ装置からの消去の可否を、ユーザに対して問い合わせる（ステップＳ９７）。ユーザのリモコン２操作などにより番組コンテンツの消去が命令されると（ステップＳ９８）、ＣＰＵ１１は、ストレージ装置に対して当該番組コンテンツに対応するファイルの削除命令を送信する。ストレージ装置は、この削除命令に応じて、例えば当該ファイルに対して削除マークを付加する（ステップＳ９９）。
【０１３９】
なお、ステップＳ９８で、番組コンテンツの消去がキャンセルされるなどにより番組コンテンツの消去命令がなされないと判断されたら、処理はステップＳ１００に移行され、番組コンテンツの消去を実行しなかった旨がユーザに通知される。
【０１４０】
＜消去モード＃４＞
図１４は、消去モード＃４の場合の一例の処理を示す。消去モード＃４では、同一の番組コンテンツの録画予約が行われた記録装置のうち、予め指定した記録装置以外の記録装置に対して録画予約により録画された当該番組コンテンツを消去する。消去モード＃４は、特定の記録装置を保存用として用いる場合に好適である。図１４の処理に先立って、保存用とする記録装置を予め設定する。
【０１４１】
例えば、ＣＰＵ１１は、図６または図８のステップＳ３７およびステップＳ３８の処理において消去モード＃４が設定されたら、表示部１７に対して、ユーザに対して保存用の記録装置の選択を促す表示を行うことが考えられる。この表示部１７の表示に応じて、例えばユーザのリモコン２に対する操作がなされ、保存用の記録装置の選択および設定が行われる。
【０１４２】
消去モード＃４では、例えば図１４のフローチャートに概略的に例示されるように、同一の番組コンテンツの予約録画を行ったＤＶＤレコーダおよびストレージ装置について、保存用として設定された装置であるか否かを順次判断する。
【０１４３】
図１４において、ステップＳ１１０で、ＣＰＵ１１は、デジタルテレビ１にＨＤＭＩ接続され録画予約を行ったＤＶＤレコーダが、保存用として設定されたＤＶＤレコーダであるか否かを判断する。若し、保存用として設定されたＤＶＤレコーダではないと判断すれば、処理はステップＳ１１１に移行され、ＣＰＵ１１により、当該ＤＶＤレコーダに対する、録画予約により録画された番組コンテンツの消去処理が行われる。なお、ステップＳ１１１の処理は、上述した図１２のステップＳ８１の処理と同一であるので、ここでの説明を省略する。
【０１４４】
一方、ステップＳ１１０で、当該ＤＶＤレコーダが保存用として設定された装置であると判断されれば、当該ＤＶＤレコーダに対する、録画予約により録画された番組コンテンツの消去処理を行わずに、処理がステップＳ１１２に移行される。
【０１４５】
ステップＳ１１２では、当該番組コンテンツを録画予約した全てのＤＶＤレコーダに関して処理が終了したか否かがＣＰＵ１１により判断され、終了していないと判断されたら、処理はステップＳ１１０に戻される。終了していると判断されたら、処理はステップＳ１１３に移行される。
【０１４６】
ステップＳ１１３では、ＣＰＵ１１は、デジタルテレビ１にＬＡＮ接続され録画予約を行ったストレージ装置が、保存用として設定されたストレージ装置であるか否かを判断する。若し、保存用として設定されたストレージ装置ではないと判断すれば、処理はステップＳ１１４に移行され、ＣＰＵ１１により、当該ストレージ装置に対する、録画予約により録画された番組コンテンツの消去処理が行われる。なお、ステップＳ１１４の処理は、上述した図１２のステップＳ８４の処理と同一であるので、ここでの説明を省略する。
【０１４７】
一方、ステップＳ１１３で、当該ストレージ装置が保存用として設定された装置であると判断されれば、当該ストレージ装置に対する、録画予約により録画された番組コンテンツの消去処理を行わずに、処理がステップＳ１１５に移行される。
【０１４８】
ステップＳ１１５では、当該番組コンテンツを予約録画した全てのストレージ装置に関して処理が終了したか否かがＣＰＵ１１により判断され、終了していないと判断されたら、処理はステップＳ１１３に戻される。終了していると判断されたら、消去モード＃４による一連の消去処理が終了される。
【０１４９】
なお、上述では、ＤＶＤレコーダに対する処理を行ってからストレージ装置に対する処理を行っているが、これらの順序を入れ替えてもよいし、これらの処理を並列的に行ってもよい。
【０１５０】
＜消去モード＃５＞
図１５は、消去モード＃５の場合の一例の処理を示す。消去モード＃５では、バックアップメディア以外の記録媒体に録画する記録装置に対して消去処理を行う。この消去モード＃６は、例えばＤＶＤといった着脱可能な記録媒体をバックアップメディアとして用いて保存しているユーザにとって、利便性が高い。
【０１５１】
ＣＰＵ１１は、バックアップメディアに対する録画予約による録画が終了した番組コンテンツと同一の番組コンテンツのストレージ装置からの消去の可否を、ユーザに対して問い合わせる（ステップＳ１４０）。ユーザのリモコン２操作などにより番組コンテンツの消去が命令されると（ステップＳ１４１）、ＣＰＵ１１は、ストレージ装置に対して当該番組コンテンツに対応するファイルの削除命令を送信する。ストレージ装置は、この削除命令に応じて、例えば当該ファイルに対して削除マークを付加する（ステップＳ１４２）。
【０１５２】
なお、ステップＳ１４１で、番組コンテンツの消去がキャンセルされるなどにより番組コンテンツの消去命令がなされないと判断されたら、処理はステップＳ１４３に移行され、番組コンテンツの消去を実行しなかった旨がユーザに通知される。
【０１５３】
上述のステップＳ１４０〜ステップＳ１４３の処理は、当該番組コンテンツを録画予約した全てのストレージ装置に関して行われる。当該番組コンテンツを録画予約した全てのストレージ装置に関してステップＳ１４０〜ステップＳ１４３の処理が行われたら、消去モード＃５による一連の消去処理が終了される。
【０１５４】
なお、ステップＳ１４０およびステップＳ１４１による、ユーザへの確認処理を省略することも可能である。また、複数のＤＶＤレコーダに対して同一の番組コンテンツの録画予約が行われる場合も考えられる。この場合、これら複数のＤＶＤレコーダで録画予約により録画された番組コンテンツを全て保存しておくことができる。これに限らず、複数のＤＶＤレコーダのうち予め設定された１台のみ、録画予約により録画された番組コンテンツを保存し、他のＤＶＤレコーダでは、録画予約により録画された番組コンテンツの消去を行うようにしてもよい。
【０１５５】
＜消去モード＃６＞
図１６は、消去モード＃６の場合の一例の処理を示す。消去モード＃６では、同一の番組コンテンツの録画予約を行った記録装置のうち、最も高画質で録画されたと見做される記録装置以外の記録装置に録画された当該番組コンテンツを消去する。
【０１５６】
ステップＳ１２０で、ＣＰＵ１１は、接続機器情報管理テーブルを参照し、予約録画を行ったＤＶＤレコーダにおける録画可能な画質が判断される。例えば、ＤＶＤレコーダの録画可能な記録媒体がＤＶＤのみである場合、ＳＤ映像の解像度までの録画しか行えない。一方、ハードディスクを内蔵したＤＶＤレコーダや、ＤＶＤよりもさらに大容量のデータを記録可能とされた光ディスクに対応したレコーダでは、ＨＤ映像の解像度での録画が可能である。
【０１５７】
なお、ＣＰＵ１１は、接続機器情報管理テーブルに基づき、ＳＤ映像の解像度までに対応したＤＶＤレコーダから選択的に処理を行うことができるものとする。
【０１５８】
若し、ステップＳ１２０で、当該ＤＶＤレコーダがＳＤ映像の解像度までの解像度での録画しか行えないと判断されたら、処理はステップＳ１２１に移行される。ステップＳ１２１では、ＣＰＵ１１により、当該ＤＶＤレコーダに対する、録画予約により録画された番組コンテンツの消去処理が行われる。なお、ステップＳ１２１の処理は、上述した図１２のステップＳ８１の処理と同一であるので、ここでの説明を省略する。
【０１５９】
ステップＳ１２１でのＤＶＤレコーダに対する消去処理が終了すると、処理はステップＳ１２２に移行され、当該番組コンテンツを録画予約した全てのＤＶＤレコーダに関して処理が終了したか否かがＣＰＵ１１により判断される。若し、終了していないと判断されれば、処理はステップＳ１２０に戻される。終了していると判断されれば、消去モード＃５による一連の消去処理が終了される。
【０１６０】
一方、ステップＳ１２０で、当該ＤＶＤレコーダがＨＤ映像の解像度での録画が可能であると判断されれば、処理はステップＳ１２３に移行される。ステップＳ１２３では、ＣＰＵ１１により、ストレージ装置に対する、録画予約により録画された番組コンテンツの消去処理が行われる。これは、ＬＡＮ接続された記録装置の場合、仕様上ではＨＤ映像の録画が可能となっていても、ネットワーク状況によってはデータ転送が間に合わないために、ＨＤ映像の解像度で録画されていない場合が考えられるからである。なお、ステップＳ１２３の処理は、上述した図１２のステップＳ８４の処理と同一であるので、ここでの説明を省略する。
【０１６１】
このステップＳ１２３の処理は、同一の番組コンテンツに対して録画予約が行われたストレージ装置、すなわちＬＡＮ接続の記録装置の数に応じて繰り返される。ステップＳ１２３の処理が終了すると、消去モード＃５による一連の消去処理が終了される。
【０１６２】
なお、上述では、ＤＶＤレコーダおよびストレージ装置の両方に録画予約を行う例について説明したが、複数のＤＶＤレコーダに対して録画予約を行い、ストレージ装置に対して録画予約を行わない場合も考えられる。このとき、録画予約を行った複数のＤＶＤレコーダ全てがＨＤ映像の録画に非対応であることもあり得、その場合、図１６の処理に従えば、録画予約された番組コンテンツが全て消去されてしまうことになる。このような場合には、例えば少なくとも１台のＤＶＤレコーダにおいて消去処理を行わないようにするとよい。
【０１６３】
＜消去モード＃７＞
消去モード＃７では、録画予約により録画された番組コンテンツの再生が終了した後に、同一の番組コンテンツを録画予約した各記録装置における、録画予約により録画された番組コンテンツの自動消去を行わない。ユーザは、録画予約により録画した番組コンテンツを消去したい場合、消去処理をそれぞれの記録装置に対して個別に実行することができる。
【０１６４】
なお、上述では、デジタルテレビ１と記録装置とを接続するインターフェイスが、ＨＤＭＩおよびＬＡＮインターフェイスであるものとして説明したが、これはこの例に限定されない。例えば。デジタルテレビ１と記録装置とをＩＥＥＥ１３９４に規定されるインターフェイスなど、他の高速通信インターフェイスを用いて接続するようにしてもよい。ここで、ＩＥＥＥは、Institute Electrical and Electronics Engineersの略称である。
【０１６５】
また、上述では、本実施形態による消去モード＃１〜＃７を録画予約により録画された番組コンテンツの消去に適用されるように説明したが、これはこの例に限定されない。すなわち、本実施形態による消去モード＃１〜＃７は、デジタルテレビ１から記録装置３および４に対して、録画時刻の指定を伴わない通常の録画を行わせる際にも適用できる。
【０１６６】
以上のように、本実施形態によれば、複数の記録装置で同一の番組コンテンツの録画を行う際に、録画された番組コンテンツの消去方法を指示する消去モードを予め設定する。そして、複数の記録装置のそれぞれにおいて、録画された番組コンテンツを消去するか否かを、設定された消去モードに従い制御するようにしている。
【０１６７】
そのため、複数の記録装置のそれぞれに録画された同一の番組コンテンツについて、消去を極めて容易に行うことができると共に、バックアップを自動的に取ることができる。またこれにより、記録装置のそれぞれにおける空き容量不足の発生を防ぐことができる。
【０１６８】
上述の実施形態においては、消去モードの設定および消去モードに基づく記録装置に対する番組コンテンツの消去動作を、デジタルテレビ１により行うように説明したが、これはこの例に限定されない。すなわち、本発明のデジタルテレビ１と同等の機能を、コンピュータによって実現しても良い。すなわち、上述の実施形態は、システム或は装置のコンピュータ（或いはＣＰＵ、ＭＰＵ等）によりソフトウェア的に実現することも可能である。
【０１６９】
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【０１７０】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【０１７１】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１７２】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【０１７３】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【０１７４】
つまり、上述の実施形態を実現するためのプログラムファイルをクライアントコンピュータに提供するサーバ装置も本発明の一つである。
【０１７５】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【０１７６】
また、上述の実施形態を実現するためのコンピュータプログラムは、すでにコンピュータ上で稼働するＯＳの機能を利用するものであってもよい。
【０１７７】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１７８】
【図１】本発明を適用可能な一例のシステム構成を示す略線図である。
【図２】本発明を適用可能なデジタルテレビの一例の構成を示すブロック図である。
【図３】本発明を適用可能なシステム構成の別の例を示す略線図である。
【図４】本発明を適用可能なシステム構成のさらに別の例を示す略線図である。
【図５】本発明の実施形態における録画予約に係る一例の処理を概略的に示すフローチャートである。
【図６】本発明の実施形態における消去モードを設定する処理の一例を示すフローチャートである。
【図７】本発明の実施形態における接続機器情報管理テーブルの一例の構成を示す略線図である。
【図８】本発明の実施形態においてデジタルテレビに対して録画予約を行う場合の一例の処理を示すフローチャートである。
【図９】本発明の実施形態において予約確認画面により各種の設定を行うことを説明するための略線図である。
【図１０】本発明の実施形態において番組コンテンツの再生終了後に消去モードによる処理が開始されることを説明するためのフローチャートである。
【図１１】本発明の実施形態における消去モード＃１の場合の一例の処理を示すフローチャートである。
【図１２】本発明の実施形態における消去モード＃２の場合の一例の処理を示すフローチャートである。
【図１３】本発明の実施形態における消去モード＃３の場合の一例の処理を示すフローチャートである。
【図１４】本発明の実施形態における消去モード＃４の場合の一例の処理を示すフローチャートである。
【図１５】本発明の実施形態における消去モード＃５の場合の一例の処理を示すフローチャートである。
【図１６】本発明の実施形態における消去モード＃６の場合の一例の処理を示すフローチャートである。
【符号の説明】
【０１７９】
１  デジタルテレビ
２  リモートコントロールコマンダ
３  記録装置
４  記録装置
５  ＬＡＮケーブル
６  ＨＤＭＩケーブル
１１  ＣＰＵ
１３  ＲＡＭ
１４  チューナ
１５  デマルチプレクサ
１６  デコーダ
１７  表示部
２２  時計部
２４  ＬＡＮコントローラ
２５  ＨＤＭＩインターフェイス
２６  ＣＥＣ送受信部
【図１】
2009239354.tif 000003
【図２】
2009239354.tif 000004
【図３】
2009239354.tif 000005
【図４】
2009239354.tif 000006
【図５】
2009239354.tif 000007
【図６】
2009239354.tif 000008
【図７】
2009239354.tif 000009
【図８】
2009239354.tif 000010
【図９】
2009239354.tif 000011
【図１０】
2009239354.tif 000012
【図１１】
2009239354.tif 000013
【図１２】
2009239354.tif 000014
【図１３】
2009239354.tif 000015
【図１４】
2009239354.tif 000016
【図１５】
2009239354.tif 000017
【図１６】
2009239354.tif 000018